(57)【特許請求の範囲】
【請求項１】
各々長手方向に延びかつ屋根面に対して略垂直な平面を画成する外方側壁、および複数の取り付けブラケットを有する、フレーム部片を備えた窓フレームからなっている、傾斜屋根面および下方に横たわる支持構造を有している型の屋根に取り付けの窓において、
各取り付けブラケットが、互いに一体に接続される第１および第２脚部を有する角をなすブラケット部材、および、固定手段を受容するための少なくとも１つの開口を有しかつ前記窓フレーム部片の前記外方側壁と接続されている略板形状の基部部材からなり、前記基部部材が前記外方側壁平面に対して平行である平面を画成しており、
前記角をなすブラケット部材が、前記窓の搬送位置において、前記角をなすブラケット部材の前記第２脚部が前記基部部材の平面に対して内方に向かって突出し、これに反して、前記窓の取り付け位置において、前記第２脚部が前記平面に対して外方に向かって突出するような方法において前記基部部材と接続されており、
錠止手段が、前記取り付け位置において前記基部部材に前記角をなすブラケット部材の前記第１脚部を錠止するのに設けられ、
調整手段が、少なくとも、前記窓フレームの前記フレーム部片の長手方向に対して垂直且つ前記外方側壁に平行な横方向における前記角をなすブラケット部材の位置を調整するのに設けられることを特徴とする屋根に取り付けの窓。
【請求項２】
各取り付けブラケットが前記基部部材の第１側縁部と一体に前記角をなすブラケット部材の前記第１脚部の第１側縁部を接続する接続部分からなり、前記第１脚部が前記搬送位置において前記窓フレームに当接しかつ取り付けブラケットが前記取り付け位置において前記基部部材に対して当接する位置に揺動され、前記接続部分が揺動軸線を画成し、前記錠止手段が前記第１脚部と反対の前記基部部材の第２側縁部において少なくとも１つの耳片からなっており、その耳片が前記取り付け位置において前記第１縁部と反対の前記第１脚部の第２縁部においてまたは近傍で対応する切り欠き内に受容されかつ前記基部部材の外方側に対して当接することを特徴とする請求項１に記載の屋根に取り付けの窓。
【請求項３】
前記調整手段が上方および下方端を有しかつ前記フレーム部片の横方向に延びている少なくとも１つのスロットからなっていることを特徴とする請求項２に記載の屋根に取り付けの窓。
【請求項４】
前記少なくとも１つのスロットが前記端部の各々において広げられた部分を有していることを特徴とする請求項３に記載の屋根に取り付けの窓。
【請求項５】
前記第１脚部が取り付け位置において前記少なくとも１つのスロットの下方端に重なり合う少なくとも１つの凹所を備えていることを特徴とする請求項３に記載の屋根に取り付けの窓。
【請求項６】
前記調整手段が少なくとも１つのスロットからなり、その各々が前記基部部材の平面内に斜めに延びている部分を有していることを特徴とする請求項２に記載の屋根に取り付けの窓。
【請求項７】
前記調整手段が互いに平行にかつ斜めに延びている部分を有する２つのスロットからなり、前記スロットの各端部分が前記固定手段受容開口を構成する凹所を形成することを特徴とする請求項６に記載の屋根に取り付けの窓。
【請求項８】
前記窓の搬送位置において前記基部部材に前記角をなすブラケット部材の前記第１脚部の一時的な固定のために手段が設けられることを特徴とする請求項１に記載の屋根に取り付けの窓。
【請求項９】
前記固定手段が前記基部部材のそれぞれの側縁部において少なくとも１つの耳片からなり、前記耳片の各々が前記角をなすブラケット部材の第１脚部のそれぞれの側縁部の対応する切り欠きと協働するようになされていることを特徴とする請求項８に記載の屋根に取り付けの窓。
【請求項１０】
前記搬送位置において、前記基部部材の１側縁部での前記少なくとも１つの耳片が前記基部部材の平面から略９０°の角度で突出し、これに反して他方の側縁部での前記少なくとも１つの耳片が折り曲げられかつ前記平面とより小さい角度を形成することを特徴とする請求項９に記載の屋根に取り付けの窓。
【請求項１１】
前記取り付け位置において前記基部部材の各耳片が前記角をなすブラケット部材の前記第１脚部の外方側に対して当接するように折り曲げられることを特徴とする請求項１０に記載の屋根に取り付けの窓。
【請求項１２】
前記角をなすブラケット部材の前記第１脚部の各側縁部が少なくとも２つの切り欠きからなり、前記第１脚部が、前記取り付け位置において前記基部部材の前記少なくとも１つの開口の少なくとも１つに重なり合うスロットを備えていることを特徴とする請求項９に記載の屋根に取り付けの窓。
【請求項１３】
前記基部部材がこの基部部材の残りの部分の平面から或る距離に置かれた平面を画成する高められた部分からなりそれにより前記角をなすブラケット部材の前記第１脚部を受容するためのギヤツプを形成し、前記錠止および調整手段が、一端において前記基部部材の側縁部の近傍において前記基部部材の前記高められた部分に固定されかつ前記端部から或る距離において前記基部部材の前記高められた部分の孔を通して内方に向かって突出する突起を備えかつ前記角をなすブラケット部材の前記第１脚部の対応する孔と協働する舌片からなっていることを特徴とする請求項１に記載の屋根に取り付けの窓。
【請求項１４】
複数の孔が前記第１脚部に設けられることを特徴とする請求項１３に記載の屋根に取り付けの窓。
【請求項１５】
屋根貫通構造の取り付けにおいて使用する取り付けブラケットにおいて、
前記取り付けブラケットが、互いに一体に接続される第１および第２脚部を有している角をなすブラケット部材、および、固定手段を受容するための少なくとも１つの開口を有している略板形状の基部部材からなっており、前記基部部材が平面を画成し、
前記角をなすブラケット部材が、取り付け位置において前記角をなすブラケット部材の前記第２脚部が前記平面に対して内方に向かって突出し、これに反して取り付け位置において、前記第２脚部が前記平面に対して外方に向かって突出しており、
錠止手段が前記取り付け位置において前記基部部材に前記角をなすブラケット部材の第１脚部を錠止するために設けられ、
調整手段が前記ブラケット部材の位置を調整するために設けられることを特徴とする取り付けブラケット。
【請求項１６】
前記取り付けブラケットが前記角をなすブラケット部材の前記第１脚部の第１側縁部を前記基部部材の第１側縁部と一体に接続する接続部分からなり、前記取り付けブラケットが前記取り付け位置において前記基部部材に対して当接する位置に揺動され、前記接続部分が前記揺動の軸線を画成し、前記錠止手段が前記第１縁部と反対の前記基部部材の第２側縁部において少なくとも１つの耳片からなっており、その耳片が前記取り付け位置において前記第１縁部と反対の前記第１脚部の第２縁部においてまたは近傍で対応する切り欠き内に受容されるように折り曲げられかつ前記基部部材の外方側に対して当接していることを特徴とする請求項１５に記載の取り付けブラケット。
【請求項１７】
前記調整手段が上方および下方端部を有している少なくとも１つのスロットからなっていることを特徴とする請求項１６に記載の取り付けブラケット。
【請求項１８】
前記少なくとも１つのスロットが前記端部の各々において広げられた部分を有していることを特徴とする請求項１７に記載の取り付けブラケット。
【請求項１９】
前記第１脚部が、前記取り付け位置において、前記少なくとも１つのスロットの前記下方端部に重なり合う少なくとも１つの凹所を備えていることを特徴とする請求項１７に記載の取り付けブラケット。
【請求項２０】
前記調整手段が少なくとも１つのスロットからなり、その各々が前記基部部材の平面に対して斜めに延びている部分を有していることを特徴とする請求項１６に記載の取り付けブラケット。
【請求項２１】
前記調整手段が互いに平行なかつ斜めに延びている部分を有する２つのスロットからなり、前記スロットの各端部分が前記固定手段受容開口を構成する凹所を形成していることを特徴とする請求項２０に記載の取り付けブラケット。
【請求項２２】
搬送位置において前記基部部材に前記角をなすブラケット部材の第１脚部の一時的な固定のための手段が設けられることを特徴とする請求項１５に記載の取り付けブラケット。
【請求項２３】
前記固定手段が前記基部部材のそれぞれの側縁部において少なくとも１つの耳片からなり、前記耳片の各々が前記角をなすブラケット部材の前記第１脚部のそれぞれの側縁部の対応する切り欠きと協働するようになされていることを特徴とする請求項２２に記載の取り付けブラケット。
【請求項２４】
前記搬送位置において、前記基部部材の一方の側縁部において前記少なくとも１つの耳片が前記基部部材の平面から略９０°の角度で突出し、これに反して他方の側縁部において少なくとも１つの耳片が折り曲げられかつ前記平面とより小さい角度を形成することを特徴とする請求項２３に記載の取り付けブラケット。
【請求項２５】
前記取り付け位置において前記基部部材の各耳片が前記角をなすブラケット部材の前記第１脚部の外側に対して当接するように折り曲げられることを特徴とする請求項２４に記載の取り付けブラケット。
【請求項２６】
前記角をなすブラケット部材の前記第１脚部の各側縁部が少なくとも２つの切り欠きからなり、前記第１脚部が、前記取り付け位置において、前記基部部材の前記少なくとも１つの開口の少なくとも１つに重なり合うスロットを備えていることを特徴とする請求項２３に記載の取り付けブラケット。
【請求項２７】
前記基部部材がこの基部部材の残りの部分の平面から或る距離に置かれた平面を画成する高められた部分からなりそれにより前記角をなすブラケット部材の第１脚部を受容するためのギヤツプを形成し、前記錠止手段および前記調整手段が、一端において、その側縁部の近傍において前記基部部材の前記高められた部分に固定されかつ前記端部から或る距離において前記基部部材の前記高められた部分の孔を通して内方に向かって突出する突起を備えかつ前記角をなすブラケット部材の第１脚部の対応する孔と協働する舌片からなっていることを特徴とする請求項１５に記載の取り付けブラケット。
【請求項２８】
複数の孔が前記第１脚部に設けられることを特徴とする請求項２７に記載の取り付けブラケット。
【発明の詳細な説明】
【０００１】
【発明の属する技術分野】
窓が、各々長手方向に延びかつ屋根面に対して実質上垂直な平面を画成する外方側壁、および複数の取り付けブラケットを有する、フレーム部片を備えた窓フレームからなっている、傾斜屋根面および下方に横たわる支持構造を有している型の屋根に取り付けの窓であって、各取り付けブラケットが、互いに一体に接続される第１および第２脚部を有する角をなすブラケット部材、および固定手段を受容するための少なくとも１つの開口を有しかつ前記窓フレーム部片の前記外方側壁と接続されている実質上板形状の基部部材からなり、前記基部部材が前記外方側壁平面に対して平行である平面を画成しており、前記角をなすブラケット部材が、前記窓の搬送位置において、前記角をなすブラケット部材の前記第２脚部が前記基部部材の平面に対して内方に向かって突出し、これに反して、前記窓の取り付け位置において、前記第２脚部が前記平面に対して外方に向かって突出するような方法において前記基部部材と接続されている窓に関する。
【０００２】
【従来の技術】
傾斜屋根面に取り付けの窓は、通常、パッケージにおいて供給されかつ別個のパッケージにおいて供給される、多数の、通常４または６個の取り付けブラケットによって屋根の支持構造に係留される。断面においてＬ−形状の、取り付けブラケットは１つの脚部によって窓フレームの側部片に固定され、そして窓は次いで屋根面にそのために作られた屋根開口に取り付けられかつ第２の脚部によって下に横たわる屋根支持構造、垂木または目板にネジで固定される。
【０００３】
窓が屋根が固定される覆いを有する屋根に取り付けられる筈であるとき、窓は通常覆いの頂部に固着される。窓がこの方法において配置されかつかつしたがって窓フレームに対して取り付けブラケットを調整する必要がないとき、アメリカ合衆国特許第４，９２０，７１３号から、フレームの外方側壁に当接している位置決め部材により各取り付けブラケットを形成することにより工場で窓に取り付けブラケットを固定することが知られており、その位置決め部材は、第１脚部が、これが窓フレームの外方側壁に当接している搬送位置から、第１脚部が位置決め部材に当接しているその取り付け位置に揺動され得るように、一体のヒンジ接続によって第１脚部と接続されている。この作動に続いて、取り付けネジが所定位置に螺合され、それにより第１脚部を窓フレームに固定する。
【０００４】
取り付けブラケットの事前取り付けは、多数の利点、すなわち、正しい位置決めが保証され、窓が取り付けられる前の１またはそれ以上のブラケットが緩む危険が回避され、そして取り付け時間が減少されるという利点を伴う。
【０００５】
しかしながら、一般の屋根構造に関して、屋根面の平面に対する窓フレームの位置決めの調整は、通常、窓の所望の位置を得るために必要である。
【０００６】
例えば、国際特許公告第ＷＯ８８／０４３４８号において、屋根面に対する窓フレームの位置の調整は、通常、取り付け場所において、フレーム部片の横方向における取り付けブラケットの正しい位置を確立するために必要な測定作業を行うことによって引き起こされ、それに続いて取り付けブラケットはフレーム部片の長手方向に延びている多数の溝の１つに固定され、前記溝は横方向に相互に間隔が置かれている。
【０００７】
【発明が解決しようとする課題】
調整が取り付け場所で行われるという事実により、ブラケットの第２脚部が窓フレームの平面からより多く突出しており、それによってより大きな包装が必要となりかつまたブラケットを損傷するかまたはブラケットが他の物体の損傷を引き起こす危険がある。
【０００８】
本発明の目的は、取り付け状態が改善されかつ同様にさらに取り付け者が持ち運ばねばならない工具およびネジおよび釘のごとき固定手段の必要が最小にされる前文に記載された種類の窓を提供することにある。
【０００９】
本発明の他の目的は、取り付けブラケットが事前に取り付けられ得るが、それにも拘わらず、当該屋根支持構造の型に関係なく、屋根面に対して窓の位置を調整することが可能である窓を提供することにある。
【００１０】
さらに他の目的は、屋根貫通構造の取り付けに使用の取り付けブラケットを提供することにある。
【００１１】
【課題を解決するための手段】
これらの目的は、各取り付けブラケットにおいて、錠止手段が取り付け位置において基部部材に関連して角をなすブラケット部材の第１脚部を錠止するのに設けられ、そして調整手段が窓フレームのフレーム部片の長手方向に対して垂直な少なくとも横方向における前記角をなすブラケット部材の位置を調整するのに設けられることによって得られる。
【００１２】
調整手段はブラケットを窓フレームに固定する前に何らかの測定作業を行わねばならないことなく屋根面の平面に関連して角をなすブラケット部材の移動を可能にする。取り付けブラケットそれ自体に第１脚部を基部部材に錠止するための手段を設けることにより、このためのネジおよび釘の必要が不必要にされる。これらの特徴の組み合わせによって、かくして、目途とされる簡単な取り付けが得られる。
【００１３】
本発明の第１の好適な実施例において、各取り付けブラケットは基部部材の第１側縁部と一体に前記角をなすブラケット部材の前記第１脚部の第１側縁部を接続する接続部分からなり、そして前記第１脚部が前記搬送位置において前記窓フレームに当接しかつ取り付けブラケットが前記取り付け位置において前記基部部材に対して当接する位置に揺動され、前記接続部分が揺動軸線を画成し、前記錠止手段が前記第１脚部と反対の前記基部部材の第２側縁部において少なくとも１つの耳片からなっており、その耳片が前記取り付け位置において前記第１縁部と反対の前記第１脚部の第２縁部においてまたは近傍で対応する切り欠き内に受容されかつ前記基部部材の外方側に対して当接する。
【００１４】
第２の好適な実施例において、基部部材がこの基部部材の残りの平面から或る距離に置かれた平面を画成するるたかめられた部分からなりそれにより角をなすブラケット部材の第１脚部を受容するためのギヤツプを形成し、錠止手段および調整手段が、一端において前記基部部材の側縁部の近傍において前記基部部材の前記高められた部分に固定されかつ前記基部部材の前記高められた部分の孔を通して内方に向かって突出する突起を備えかつ前記角をなすブラケット部材の前記第１脚部の対応する孔と協働する舌片からなっている。
【００１５】
第３の好適な実施例において、窓の搬送位置において基部部材に関連して角をなすブラケット部材の第１脚部の一時的な固定のための手段が設けられている。前記一時的な固定手段は前記基部部材のそれぞれの側縁部において少なくとも１つの耳片からなることができ、前記耳片の各々が前記角をなすブラケット部材の前記第１脚部のそれぞれの側縁部の対応する切り欠きと協働するようになされている。
【００１６】
本発明の実施例を、以下で、概略図面を参照してより詳細に説明する。
【００１７】
【発明の実施の形態】
図１は、符号１で総括的に示されかつ角をなすブラケット部材２および実質上板形状の基部部材３からなっている取り付けブラケットを示している。角をなすブラケット部材２は第１脚部４およびこの第１脚部４の下縁部から実質上直角に延びかつ第１脚部４と一体の第２脚部５を有している。角をなすブラケット部材２は、それぞれ、角をなすブラケット部材４の第１脚部４および基部部材３のそれぞれの第１側縁部７および８間に延びている接続部分６によって基部部材３と接続されている。接続部分６は各端部９ａ，９ｂで基部部材３の第１側縁部８と、かつ中央部分９ｃで角をなすブラケット部材２の第１脚部４の第１側縁部７と一体に接続されたブリッジ９からなっており、かくしてブリッジ９と基部部材３の第１縁部８との間にギヤツプ１０を形成している。
【００１８】
取り付けブラケット１は、そのうえ、以下でさらに詳細に説明されるように、基部部材３に関連して角をなすブラケット部材２を錠止するための錠止手段を備えている。このために、耳片１１が基部部材３の第１側縁部８と反対の第２側縁部に設けられている。角をなすブラケット部材２の第１脚部４の第２側縁部１３の近傍には、切り欠き１４の形状の開口が形成されている。切り欠き１４は代替としてその縁部１３に位置決めされている。
【００１９】
基部部材３は、例えば、屋根窓のごとき、屋根貫通構造に取り付けブラケット１を固定するために固定手段を受容するための多数の開口を備えている。図示実施例において、これらの開口は４つの実質上円形の孔１５および基部部材３の第１および第２側縁部８，１２と実質上平行に延びかつ各端部に、それぞれ、広げられた部分１７および１８を有しているスロット１６からなっている。
【００２０】
角をなすブラケット部材２の第１脚部４はその上縁部に凹所１９および基部部材３の孔１５より大きな直径を有する２つの孔２０を備えている。第２脚部５は同様に、取り付けブラケットかつしたがって屋根貫通構造を取り付け場所で下方に横たわる屋根支持構造を固定するとき取り付け釘またはネジを受容するのに向けられる複数の開口２６を備えている。これらの開口２６の形状、位置および数は、第２脚部５全体の形状と同様に、変化することができる。図示実施例において、第２脚部５の長手方向寸法は第１脚部４の長手方向寸法より幾らか大きいが、しかし第２脚部５は適宜な設計にすることも可能である。
【００２１】
図１および図２において、取り付けブラケット１は搬送位置、すなわち、ブラケットが、２つの隣接するフレーム部片２１，２２が、例えば、窓が保管されかつ取り付け場所に搬送されるパッケージ内で、図２に示される窓のごとき、屋根貫通構造に取り付けられるときを仮定している位置において示されている。例えば、合計２つまたは３つの各取り付けブラケット１が、基部部材スロット１６のそれぞれ広げられた端部分１７および１８に挿入されかつフレーム部片２２の外方側壁において、図示されない、多分予め穿孔された孔に螺合される２つのネジ２３および２４によって、一方のフレーム部片２２に、通常窓の各側辺フレーム部片に固定される。この位置において、角をなすブラケット部材２の第２脚部５は外方側壁の平面から内方に向かって突出しかつフレーム部片２２の下側の下に位置決めされる。基部部材３の耳片１１は図示のごと位置決め、すなわち、基部部材３から或る角度に突出しているか、または代替として基部部材の平面内に横たわっている。
【００２２】
取り付け場所において、窓は包装を解かれそして各取り付けブラケット１は、第１脚部４が基部部材３に対して当接するまでほぼ１８０°の角度を通って角をなすブラケット部材２を揺動することによってその取り付け位置に持ち来される。この揺動作動の間中、接続部分６のブリッジ９は永続的な捩じれ変形を受けている。この作動の前に、理解されることは、耳片１１は、この耳片１１が第１脚部４内に切り欠き１４に関連して正しく位置決めされることを保証するために基部部材３からほぼ直角に突出するということである。これに続いて、耳片１１は、例えば、第１脚部４の外方に面している側に対して当接するようなハンマーの衝撃によって変形され、かくして図３に示される位置を取る。
【００２３】
図３に示された取り付け場所において、覆い２５が、図示されない、下方に横たわる屋根支持構造上に位置決めされる。この覆いには、窓フレームの外方寸法に対応する開口が、角をなすブラケット部材２の第２脚部５が覆いの上面に載置するように、この覆い上に窓を配置する前に設けられた。覆い２５が実質上平らな屋根面を形成する場合には、窓フレームの横方向、すなわち、フレーム部片２２の長手方向に対して垂直の方向における取り付けブラケット１の調整は通常必要ない。覆い２５の開口に関しての窓の位置調整の後、取り付けネジまたは釘が第２脚部５の開口２６に挿入されかつ適切に、所定位置に嵌合され、かくして窓フレームを覆いに固定する。これに関連して留意されることは、角をなすブラケット部材２および基部部材３が耳片１１と切り欠き１４との間の係合によって相対的に錠止されるということである。追加のネジまたは釘が、それぞれ、第１脚部４および基部部材３の孔２０および１５を通して挿入され、そのうちの第１脚部４の２つの孔２０は取り付け位置において基部部材３の孔１５に重なり合っている。さらに、図３において見られ得ることは、第１脚部４の凹所１９が基部部材３のスロット１６の下方端に重なり合っているということである。
【００２４】
窓フレーム部片２１，２２の横方向の調整を必要とする取り付け場所は図４に示されている。この場合に、取り付けブラケット１の調整手段が屋根支持構造および屋根に対して窓の正しい位置決めを保証するために使用される。図示実施例において、基部部材スロット１６の上方端でネジ２３が弛められかつ下方のネジ２４が第１脚部４のかつしたがって取り付けブラケット１全体の下方に向かう、すなわち、窓フレーム部片２１，２２の横方向への移動を保証するために僅かに弛められる。ネジ２４は取り付けブラケット１の所望の位置において再び締め付けられそして１またはそれ以上のネジ（例えば、予め取り外されたネジ２３）が、窓フレーム部片２２と反対にさらに位置決めされる、第１脚部４および基部部材３の孔２０，１５の幾つかに挿入される。
【００２５】
図５および図６は、図１ないし図４に示された実施例の取り付けブラケットと実質上同一の設計からなる、それぞれ、符号１’および１”で総括的に示される取り付けブラケットの調整手段の代替の設計を示している。しかしながら、理解されることは、取り付けブラケット１’および１”の他の部分は調整手段に順応するために幾らかの変更を受けねばならないかもしれないということである。
【００２６】
図５に示された実施例において、それぞれ、相互に平行にかつ斜めに延びている部分３０ａおよび３１ａを有している２つのスロット３０および３１が図１ないし図４に示された実施例の基部部材３の孔１５およびスロット１６と置き換えられている。各スロット３０および３１の端部において、端部分は、ネジまたは釘の形の固定手段を受容するのに向けられる、それぞれ、凹所３０ｂ，３０ｃおよび３１ｂ，３１ｃを形成している。基部部材３’かつしたがって角をなすブラケット部材２’の位置を、取り付けブラケットが固定される屋根貫通構造のフレーム部片の横方向に調整するとき、フレーム部片の長手方向の移動が同時に引き起こされる。かかる長手方向の移動は通常重要でないか、または、幾つかの場合に、例えば、垂木および目板からなっている屋根支持構造の場合にさらに有用であるかもしれず、そのさい切断された目板端の反対の取り付けブラケットの配置は回避され得る。
【００２７】
図６に示された実施例において、取り付けブラケット１”の基部部材３”のスロット３２は１つだけである。このスロット３２は斜めに延びる部分３２ａおよび各端部に、フレーム部片上の取り付けブラケット１”の所望の位置に対応する固定手段を受容するのに向けられる、凹所３２ｂ，３２ｃを有している。図１ないし図４に示された実施例の基部部材３の孔１５に対応する２つの孔１５”がフレーム部片への取り付けブラケット”の適切な固定を得るために設けられている。
【００２８】
図７ないし図１１は符号４１で総括的に示された取り付けブラケットの第２の好適な実施例を示している。図７において、取り付けブラケット４１の部分、すなわち、角をなすブラケット部材４２および基部部材４３は、明瞭に示すだけの理由で、互いに離して示されている。理解されるべきことは、これらの部分は以下でさらに詳細に説明されるように搬送位置ならびに取り付け位置において互いに接続されるということである。
【００２９】
上記で説明された実施例におけるように、角をなすブラケット部材４２は互いに一体に形成された第１脚部４４および第２脚部４５からなっている。基部部材４３は、この基部部材４３の残りの部分４３ｂの平面から或る距離に置かれる平面を画成する高められた部分４３ａからなっている。取り付けブラケット４１の取り付けられた位置において、固定ネジまたは釘６３は、例えば、図９に示されるような基部部材の残りの部分４３ｂの孔５５を通して挿入される。前記２つの平面間の距離は、角をなすブラケット部材４２の第１脚部４４が基部部材４３の残りの部分４３ｂと窓フレーム部片６２との間に形成されたギヤツプに受容され得るように寸法付けられる（図８参照）。基部部材４３の高められた部分４３ａの１側縁部の近傍には、舌片４６が、例えば、リベットのごとき固定手段４７によって高められた部分４３ａの一端に、永続的に固定されている。リベット４７からの或る距離において舌片４６はその後ろ側に基部部材４３の高められた部分４３ａの孔を通って内方に向かって突出している突起５１を備えている。取り付けブラケット４１の搬送および取り付け位置において、角をなすブラケット部材４２の第１脚部４４が基部部材４３の高められた部分４３ａの後ろのギヤツプに受容されるとき、この突起５１は角をなすブラケット部材４２の第１脚部４４の複数の開口または孔６０の１つと協働する。かかる複数の孔の備えにより、２行および３列に分布された６個の孔６０で示された実施例において、組み合わされた錠止および調整手段が、角をなすブラケット部材４２が以下で説明されるように、多数の異なる位置において基部部材４３に関連して調整かつ錠止されることができるように設けられる。
【００３０】
図９において、取り付けブラケット４１は、角をなすブラケット部材４２の第１脚部４４が基部部材４３の高められた部分４３ａと窓フレーム部片６２の外方側壁との間のギヤツプに、舌片４６の自由端、すなわち、リベット４７と反対の端部を持ち上げ、かつ次に第１脚部４４の意図された位置に前記自由端を解放することにより挿入され、かくして舌片４６上の突起５１を第１脚部４４の孔６０の１つに係合させている、取り付けブラケットの搬送位置において示されている。図９に示された位置において、角をなすブラケット部材４２の第２脚部４５は窓フレーム部片６２の下側の下に基部部材および窓フレーム部材６２の外方壁の平面に関連して内方に向かって突出している。代替的に、角をなすブラケット部材４２は、第２脚部４５が内方に向かってしかも窓フレーム部片６２の上側の上方に突出するように、第１脚部４４によってブラケット部材のギヤツプに挿入されることも可能である。
【００３１】
取り付け場所において、各取り付けブラケット４１は、舌片４６を持ち上げ、かくして突起５１と対応する孔６０との間の係合を解放し、そして第１脚部４４を基部部材ギヤツプから引っ込めることによってその取り付け位置に置かれる。角をなすブラケット部材４２は次に回転されかつ第１脚部４４は、第２脚部４５が窓フレーム部片６２から外方に向かって突出しかつ屋根支持構造にしたがって、すなわち図１０または図１１に示されるように窓フレーム部片６２の横方向に調整されるような方法においてギヤツプに再び挿入される。取り付けブラケット４１は、今や、角をなすブラケット部材４２の第２脚部４５の孔６６に挿入されかつ適切なように締め付けられるかまたは所定位置に嵌合される取り付けネジまたは釘によって支持構造に固定され得る。
【００３２】
図１２ないし図１６は符号８１で総括的に示されかつ基部部材８３および角をなすブラケット部材８２からなっている第３の好適な実施例を示している。図７ないし図１１に示された実施例に関連して述べられたように、これらの部品は明瞭にするためのみの理由で別個に示されている。
【００３３】
基部部材８３は主として板形状でありかつ図示実施例においてはその上縁部に、取り付けブラケット８１の搬送および取り付け位置において窓または同様な屋根貫通構造のフレーム部片１０２の溝１０２ａに受容されるような屈曲された部分８６を有している。基部部材８３の中央部分には開口または孔９５が基部部材８３を窓フレーム部片に固定するためにネジまたは釘のごとき固定手段を受容するために設けられている。基部部材８３は、さらに、第１および第２側縁部８８および９２において耳片９１ａおよび９１ｂを、それぞれ備え、これらの耳片はさらに説明される方法において角をなすブラケット部材８２の第１脚部８４の対応する切り欠き９４ａないし９４ｄとの協働に向けられる。
【００３４】
切り欠き９４ａないし９４ｄに加えて、角をなすブラケット部材８２の第１脚部８４はこの第１脚部の中央部分に凹所９９およびスロット１００からなっている。第２脚部８５は取り付け場所において下に横たわる屋根構造と接続されるような取り付けネジまたは釘を受容するための多数の開口１０６を備えた先行の実施例におけると同様である。
【００３５】
図１３に示された取り付けブラケット８１の搬送位置において、基部部材８３は孔９５に挿入されたネジ１０３によって窓フレーム部片１０２に固定され、屈曲された部分８６は窓フレーム部片１０２の溝１０２ａに挿入されている。角をなすブラケット部材８２は、耳片９１ａおよび９１ｂのそれぞれが下方の組の切り欠き９４ｄおよび９４ｃにそれぞれ受容されそして第２脚部８５が窓フレーム部片１０２の下に内方に向かって突出するように基部部材８３上に位置決めされている。角をなすブラケット部材８２は第１側縁部８８において耳片９１ａが折り曲げられかつ基部部材８３と鋭角を形成するためにこの位置に一時的に保持され、これに反して他方の側９２において耳片９１ｂは僅かだけ折り曲げられかつ基部部材８３に対して実質上直角に突出している。角をなすブラケット部材８２の第１脚部８４のスロット１００はこの位置において基部部材８３の孔９５に重なり合いかつしたがってネジ１０３はスロット１００内に収納される。
【００３６】
取り付け位置において、各取り付けブラケット８１はその取り付け位置に、例えば、ハンマーによって突出している位置へ屈曲された耳片９１ａを屈曲することによって持ち来される。角をなすブラケット部材８２は除去されかつ次いで回転され、そして耳片９１ａ，９１ｂが当該屋根支持構造にしたがって上方のまたは下方の組の切り欠きに受容されるように外方に向かって突出している角をなすブラケット部材８２の第２脚部８５と位置決めされる。
【００３７】
窓が覆いのごとき実質上平らな屋根支持構造に取り付けられる筈である、図１４に示された取り付け位置において、耳片９１ａおよび９１ｂはかくして下方の組の切り欠き９４ｃおよび９４ｄ、それぞれに受容され、それに続いて耳片９１ａ，９１ｂは第１脚部８４の外方に面している側と当接して叩かれ、そして取り付けネジまたは釘が第２脚部８５の開口１０６を通して挿入されかつ覆いと接続される。
【００３８】
図示されない、垂木および目板からなっている屋根支持構造において、角をなすブラケット部材８２は、図１５に示されるように、すなわち、耳片９１ａおよび９１ｂが上方の組の切り欠き９４ａおよび９４ｂ、それぞれに受容されるような方法において位置決めされている。基部部材８３を窓フレーム部片１０２に固着するネジ１０３はこの位置において第１脚部８４の凹所９９に受容される。耳片９１ａ，９１ｂは叩かれかつ取り付けブラケット８１は上記で述べられた方法に対応する方法において支持構造と接続される。
【００３９】
代替の取り付け可能性として、角をなすブラケット部材８２の第１脚部８４は図１６に示されるように上方から挿入され得る。
【００４０】
本発明は、上記で説明された実施例に制限されているとは見なされず、いかも図示実施例の種々の変更および組み合わせが特許請求の範囲の請求項の範囲から逸脱することなく実施され得る。
【００４１】
例えば、本発明は窓に関連してのみ説明されたけれども、もちろん、種々の種類の屋根貫通構造に本発明を適用することが可能である。
【００４２】
【発明の効果】
叙上のごとく、本発明は、窓が、各々長手方向に延びかつ屋根面に対して実質上垂直な平面を画成する外方側壁、および複数の取り付けブラケットを有する、フレーム部片を備えた窓フレームからなっている、傾斜屋根面および下方に横たわる支持構造を有している型の屋根に取り付けの窓において、各取り付けブラケットが、互いに一体に接続される第１および第２脚部を有する角をなすブラケット部材、および固定手段を受容するための少なくとも１つの開口を有しかつ前記窓フレーム部片の前記外方側壁と接続されている実質上板形状の基部部材からなり、前記基部部材が前記外方側壁平面に対して平行である平面を画成しており、前記角をなすブラケット部材が、前記窓の搬送位置において、前記角をなすブラケット部材の前記第２脚部が前記基部部材の平面に対して内方に向かって突出し、これに反して、前記窓の取り付け位置において、前記第２脚部が前記平面に対して外方に向かって突出するような方法において前記基部部材と接続されており、そのさい、錠止手段が前記取り付け位置において前記基部部材に関連して前記角をなすブラケット部材の前記第１脚部を錠止するのに設けられ、そして調整手段が前記窓フレームの前記フレーム部片の長手方向に対して垂直な少なくとも横方向における前記角をなすブラケット部材の位置を調整するのに設けられる構成としたので、取り付け状態が改善されかつ同様にさらに取り付け者が持ち運ばねばならない工具およびネジおよび釘のごとき固定手段の必要が最小にされる前文に記載された種類の窓を提供することができる。
【図面の簡単な説明】
【図１】本発明の第１の好適な実施例における取り付けブラケットを示している斜視図である。
【図２】搬送位置において、窓に取り付けられた図１の取り付けブラケットを示す斜視図である。
【図３】取り付け位置において窓を示す図２に対応する図である。
【図４】異なる取り付け位置において窓を示す図２に対応する図である。
【図５】図１の取り付けブラケットの細部の代替の設計を示している図１に対応する図である。
【図６】図１の取り付けブラケットの細部の代替の設計を示している図１に対応する図である。
【図７】本発明の第２の好適な実施例における取り付けブラケットの部品を示す斜視図である。
【図８】図７の線ＶＩＩＩ−ＶＩＩＩに沿う、図Ｙの取り付けブラケットの断面図である。
【図９】搬送位置において窓に取り付けられた図７の取り付けブラケットを示す斜視図である。
【図１０】取り付け位置における窓の図９に対応する図である。
【図１１】異なる取り付け位置における窓の図９に対応する図である。
【図１２】本発明の第３の好適な実施例における取り付けブラケットの部品を示す斜視図である。
【図１３】搬送位置において窓に取り付けられた図１２の取り付けブラケットを示す斜視図である。
【図１４】取り付け位置における窓の図１３に対応する図である。
【図１５】異なる取り付け位置における窓の図１３に対応する図である。
【図１６】他の取り付け位置における窓の図１３に対応する図である。
【符号の説明】
１  取り付けブラケット
１’  取り付けブラケット
１”  取り付けブラケット
２  角をなすブラケット部材
３  基部部材
４  第１脚部
５  第２脚部
６  接続部分
７  第１側縁部（角をなすブラケット部材の）
８  第１側縁部（基部部材の）
９  ブリッジ
１０  ギヤツプ
１１  耳片
１４  切り欠き
１５  開口
１６  スロット
１７  広げられた端部分
２１  フレーム部片
２２  フレーム部片
２３  ネジ
２４  ネジ
２５  覆い
３０  スロット
３０ａ  斜めに延びている部分（スロット３０の）
３０ｂ  凹所（スロット３０の）
３１  スロット
４１  取り付けブラケット
４２  角をなすブラケット部材
４３  基部部材
４３ａ  高められた部分
４３ｂ  残りの部分
４４  第１脚部
４５  第２脚部
４６  舌片
５１  突起
６２  窓フレーム部片
６３  固定ネジまたは釘
８１  取り付けブラケット
８２  角をなすブラケット部材
８３  基部部材
８４  第１脚部
８５  第２脚部
８６  屈曲された部分
８８  第１側縁部（基部部材の）
９１ａ  耳片
９１ｂ  耳片
９２  第２側縁部（基部部材の）
１００  スロット
１０２  フレーム部片
【図１】
0004660025.tif 000002
【図２】
0004660025.tif 000003
【図３】
0004660025.tif 000004
【図４】
0004660025.tif 000005
【図５】
0004660025.tif 000006
【図６】
0004660025.tif 000007
【図７】
0004660025.tif 000008
【図８】
0004660025.tif 000009
【図９】
0004660025.tif 000010
【図１０】
0004660025.tif 000011
【図１１】
0004660025.tif 000012
【図１２】
0004660025.tif 000013
【図１３】
0004660025.tif 000014
【図１４】
0004660025.tif 000015
【図１５】
0004660025.tif 000016
【図１６】
0004660025.tif 000017